(57)【要約】【課題】  導光板用発光素子等の負荷を増大させたり耐久性（寿命）を低下させたりすることなく、導光板用発光素子から出た光の光量損失を軽減して、コンパクトな構成を実現しつつ多様性・ゲーム性に富んだ発光表示形態を可能とした遊技機用表示装置を提供する。【解決手段】  導光板２２の延長部２２ｂの延設部位２２ｂ１の端面が当接する発光基板４の導光板用発光素子実装面は白色に塗装され、導光板２２の延長部２２ｂを逆行する光を反射して延長部２２ｂへ再導入するための反射層を形成している。発光基板４に反射層を形成することによって、導光板用発光素子２１から導光板２２の延長部２２ａに入った光が湾曲部２２ｃから本体部２２ａへ進まずに延長部２２ｂの延設部位２２ｂ１を逆行しようとしても、反射層で反射・拡散されて延長部２２ｂの延設部位２２ｂ１へ再導入される。したがって、導光板２２の延長部２２ｂから漏洩する光を減少させることができる。【選択図】  図３
2008022913.tif 000002
【特許請求の範囲】
【請求項１】
遊技機に取り付けられる遊技機用表示装置であって、
数字・文字等からなる図柄を表示して遊技者に報知するための図柄発光素子群が配置されたメイン表示部と、
そのメイン表示部の図柄発光素子群を表示面側となる遊技者側から面状に覆う本体部、及びその本体部から湾曲部を経て前記図柄発光素子群を囲うように延出する延長部を含む透光性の導光板と、その導光板を前記延長部の端面側から照射して面発光させるために、前記図柄発光素子群の外側に配置された導光板用発光素子とを有する面発光部と、
前記図柄発光素子群と導光板用発光素子とが実装された単一の発光基板とを備え、
前記導光板の延長部において、前記導光板用発光素子と非対向となる部位がその導光板用発光素子を挟む形で延設され、かつその延設部位の端面が前記発光基板の導光板用発光素子実装面に当接又は近接して配置されるとともに、
前記導光板用発光素子実装面には、前記導光板用発光素子から前記導光板の延長部に入った光が前記湾曲部から本体部へ進まずにその延長部の延設部位を逆行することにより生じる光量損失を軽減するための反射層が形成され、前記延長部の延設部位を逆行する光はその反射層で反射・拡散されて当該延長部の延設部位へ再導入されることを特徴とする遊技機用表示装置。
【請求項２】
前記導光板の延長部において、前記導光板用発光素子と対向する部位の端面には、その導光板用発光素子から前記導光板の延長部に入る光の指向性を広域化させるための起伏部が形成されている請求項１に記載の遊技機用表示装置。
【請求項３】
前記導光板の延長部において、前記導光板用発光素子と対向する部位の端面には、その導光板用発光素子から前記導光板の延長部に入る光の指向性を広域化させるための曲面状凹部が形成されている請求項１又は２に記載の遊技機用表示装置。
【請求項４】
前記導光板の延長部から前記導光板用発光素子を挟む形で延設される延設部位の端面には、前記発光基板の導光板用発光素子実装面に形成された基板側係合部と係合するための導光板側係合部が形成され、
それら導光板側係合部と基板側係合部とが係合することにより、前記導光板と発光基板とが位置決め固定される請求項請求項１ないし３のいずれか１項に記載の遊技機用表示装置。
【発明の詳細な説明】
【技術分野】
【０００１】
本発明は、遊技機用表示装置に関する。
【背景技術】
【０００２】
従来から、パチンコ機、アレパチ機等の弾球遊技機やスロットマシン、パチスロ機等の回胴式遊技機を含む種々の遊技機では、遊技機内での抽選結果に基づき大当たり（特別遊技状態）、取得された役の種別等が成立する可能性を途中報知（予告表示）したり、その抽選結果に対応する表示を最終報知（確定表示）したりするために多種多様な表示装置が用いられている。このような表示装置の一種である発光素子による表示装置において、本願出願人は、図柄を表示するメイン表示部（例えば７セグメント方式）と導光板を用いた面発光部とを組み合わせた新規な表示装置を提案した（特許文献１参照）。その一例を図７及び図８に示す。
【０００３】
図７及び図８に示すメイン表示部１１０は、数字・文字等からなる図柄を表示して遊技者に報知するための図柄発光素子群１１１と、各図柄発光素子を中空状に取り囲んで図柄を形成するようにフレーム構成されたリフレクタ１１２とを有する。また、面発光部１２０は透光性の導光板１２２と導光板用発光素子１２１とを有する。導光板１２２は、メイン表示部１１０の図柄発光素子群１１１とリフレクタ１１２とを表示面側となる遊技者側から面状に覆う本体部１２２ａ、及びその本体部１２２ａから湾曲部１２２ｃを経て図柄発光素子群１１１とリフレクタ１１２とを囲うように延出する延長部１２２ｂを含む。導光板用発光素子１２１は、導光板１２２を延長部１２２ｂの端面側から照射して面発光させるために、図柄発光素子群１１１の外側に配置されている。さらに、図柄発光素子群１１１と導光板用発光素子１２１とは単一の発光基板１０４（共通基板）に実装されている。
【０００４】
【特許文献１】特許第３７２０８３５号公報
【０００５】
このように、図７，図８に示す表示装置によれば、図柄を表わすメイン発光と導光板１２２の面状の発光とで重層的に発光表示することができる。そして、導光板１２２の本体部１２２ａから湾曲部１２２ｃを経て延長部１２２ｂを形成し、メイン表示部１１０の図柄発光素子群１１１と面発光部１２０の導光板用発光素子１２１とを単一の発光基板１０４に実装することにより、コンパクトな構成を実現することができる。しかしながら、導光板１２２に湾曲部１２２ｃが形成されているために、光の伝搬性を抑制する場合がある。
【０００６】
具体的には、図８に示すように、導光板用発光素子１２１から導光板１２２の延長部１２２ｂに入った光が湾曲部１２２ｃから本体部１２２ａへ進まずに延長部１２２ｂを逆行する事態も想定される。この場合、逆行した光が例えば延長部１２２ｂの導光板用発光素子１２１側の端面から外部へ漏洩したりすると、導光板用発光素子１２１の光量損失となる。このような光量損失（光量不足）を補うには、発光の際のデューティ比を大きくすればよいが、導光板用発光素子１２１自身やそれを駆動制御するＩＣ等の制御回路にかかる負荷が大きくなり、発熱等によって耐久性（寿命）が低下するおそれがある。
【０００７】
なお、導光板用発光素子１２１は図柄発光素子群１１１の外側に配置され、導光板１２２は図柄を表わすメイン発光を包み込むように面状発光する。一般に、発光素子は指向性が強く先鋭な指向特性を有するため、直進性はよいが光の広がり角θは小さくなる傾向がある。そこで、図柄を示す発光を包み込むような発光態様を実現するために、導光板用発光素子１２１の取付ピッチを小さくして個数を増やしたり、各素子１２１の発光の際のデューティ比を大きくしたりすると、結果的に上記と同様に負荷が大きくなり、耐久性（寿命）が低下するおそれもある。
【発明の開示】
【発明が解決しようとする課題】
【０００８】
本発明の課題は、導光板用発光素子等の負荷を増大させたり耐久性（寿命）を低下させたりすることなく、導光板用発光素子から出た光の光量損失を軽減して、コンパクトな構成を実現しつつ多様性・ゲーム性に富んだ発光表示形態を可能とした遊技機用表示装置を提供することにある。
【課題を解決するための手段及び発明の効果】
【０００９】
上記の課題を解決するために、遊技機に取り付けられる本発明の遊技機用表示装置は、
数字・文字等からなる図柄を表示して遊技者に報知するための図柄発光素子群が配置されたメイン表示部と、
そのメイン表示部の図柄発光素子群を表示面側となる遊技者側から面状に覆う本体部、及びその本体部から湾曲部を経て前記図柄発光素子群を囲うように延出する延長部を含む透光性の導光板と、その導光板を前記延長部の端面側から照射して面発光させるために、前記図柄発光素子群の外側に配置された導光板用発光素子とを有する面発光部と、
前記図柄発光素子群と導光板用発光素子とが実装された単一の発光基板とを備え、
前記導光板の延長部において、前記導光板用発光素子と非対向となる部位がその導光板用発光素子を挟む形で延設され、かつその延設部位の端面が前記発光基板の導光板用発光素子実装面に当接又は近接して配置されるとともに、
前記導光板用発光素子実装面には、前記導光板用発光素子から前記導光板の延長部に入った光が前記湾曲部から本体部へ進まずにその延長部の延設部位を逆行することにより生じる光量損失を軽減するための反射層が形成され、前記延長部の延設部位を逆行する光はその反射層で反射・拡散されて当該延長部の延設部位へ再導入されることを特徴とする。
【００１０】
この場合、具体的には、
遊技機に取り付けられる遊技機用表示装置であって、
数字・文字等からなる図柄を、セグメント毎に１又は複数設けられた個々の図柄発光素子により、連続する複数の表示領域に各々セグメント表示して遊技者に報知するための図柄発光素子群が所定の配列方向に一列状に複数配列されたメイン表示部としてのセグメント表示部と、
そのセグメント表示部の複数の図柄発光素子群を表示面側となる遊技者側から面状に覆う本体部、及びその本体部から湾曲部を経て前記配列方向に沿って前記複数の図柄発光素子群の両側を囲うように延出する延長部を含む透光性の導光板と、その導光板を前記延長部の端面側から照射して面発光させるために、前記図柄発光素子群毎にその配列方向に沿う両側から挟むように対の形態で複数配置された導光板用発光素子のペアとを有する面発光部と、
前記複数の図柄発光素子群とそれらの両側に位置する複数の導光板用発光素子のペアとが前記配列方向に沿って前記表示面側に実装された単一の発光基板とを備え、
前記導光板の延長部において、前記導光板用発光素子と非対向となる部位がその導光板用発光素子を挟む形で延設され、かつその延設部位の端面が前記発光基板の導光板用発光素子実装面に当接又は近接して配置されるとともに、
前記導光板用発光素子実装面には、前記導光板用発光素子から前記導光板の延長部に入った光が前記湾曲部から本体部へ進まずにその延長部の延設部位を逆行することにより生じる光量損失を軽減するための反射層が形成され、前記延長部の延設部位を逆行する光はその反射層で反射・拡散されて当該延長部の延設部位へ再導入されることを特徴とする。
【００１１】
このように、導光板の延長部を導光板用発光素子側へ延設して、その延設部位の端面が導光板用発光素子実装面に当接又は近接して配置され、また、その導光板用発光素子実装面に反射層を形成することによって、導光板用発光素子から導光板の延長部に入った光が湾曲部から本体部へ進まずに延長部の延設部位を逆行しようとしても、反射層で反射・拡散されて延長部の延設部位へ再導入される。したがって、導光板の延長部（延設部位）から漏洩する光を減少させることができるので、導光板用発光素子自身やそれを駆動制御するＩＣ等の制御回路にかかる負荷が増大したり、発熱等によって耐久性（寿命）が低下したりするのを防止できる。
【００１２】
ここでの反射層は、白色塗料の塗装、白色反射シールの貼付、アルミニウム等の真空蒸着等により形成され、特に簡便な方法である白色塗装が推奨される。
【００１３】
さらに、導光板の延長部において、導光板用発光素子と対向する部位の端面には、その導光板用発光素子から導光板の延長部に入る光の指向性を広域化させるための起伏部が形成されている場合がある。このように、導光板の延長部の導光板用発光素子側端面のうち導光板用発光素子と対向する部位、すなわち導光板用発光素子の光軸を含む部位に起伏部を形成することによって、導光板用発光素子から導光板の延長部に入る光の広がり角が大きくなる。したがって、図柄を示す発光を包み込むような発光態様を実現するために、導光板用発光素子の取付ピッチを小さくして個数を増やしたり、各素子の発光の際のデューティ比を大きくしたりせずにすむので、導光板用発光素子等の負荷を増大させたり、耐久性（寿命）を低下させたりすることを防止できる。
【００１４】
ここでの起伏部は、鋸歯状（三角柱状）、ピラミッド状（四角錐状）等のきざみ（ギザギザ）を付けるローレット目等により形成される。なお、対向部位に形成される起伏部の深さやピッチは、導光板用発光素子の（波長毎の）指向特性、導光板用発光素子と導光板用発光素子側端面との離間距離等をパラメータとして決定される。
【００１５】
また、導光板の延長部において、導光板用発光素子と対向する部位の端面には、その導光板用発光素子から導光板の延長部に入る光の指向性を広域化させるための曲面状凹部が形成されている場合がある。このように、導光板の延長部の導光板用発光素子側端面のうち導光板用発光素子と対向する部位、すなわち導光板用発光素子の光軸を含む部位に曲面状凹部を形成することによって、導光板用発光素子から導光板の延長部に入る光の広がり角が大きくなる。したがって、図柄を示す発光を包み込むような発光態様を実現するために、導光板用発光素子の取付ピッチを小さくして個数を増やしたり、各素子の発光の際のデューティ比を大きくしたりせずにすむので、導光板用発光素子等の負荷を増大させたり、耐久性（寿命）を低下させたりすることを防止できる。
【００１６】
ここで、対向部位に形成される曲面状凹部は半円柱面状又は半球面状のアーク形状（アーチ形状）に形成されることが望ましい。これによって、導光板用発光素子から導光板の延長部に入る光が均等に広げられ拡散しやすくなる。なお、対向部位に形成される曲面状凹部の深さや開口面積も、導光板用発光素子の（波長毎の）指向特性、導光板用発光素子と導光板用発光素子側端面との離間距離等をパラメータとして決定される。
【００１７】
そして、導光板の延長部から導光板用発光素子を挟む形で延設される延設部位の端面には、発光基板の導光板用発光素子実装面に形成された基板側係合部と係合するための導光板側係合部が形成され、それら導光板側係合部と基板側係合部とが係合することにより、導光板と発光基板とを位置決め固定することができる。これによって、遊技機用表示装置の組立時に導光板と発光基板との位置決めが容易となり、製造コストを抑制することができる。また、両係合部によって導光板と発光基板とが位置決め固定されるので、指向性の広域化及び光量損失の軽減のために導光板の延長部から延設部位が延設されていても導光板用発光素子と干渉しにくい。
【００１８】
例えば、導光板側係合部として突出部が形成され、基板側係合部として貫通孔が形成される場合には、貫通孔（基板側係合部）に突出部（導光板側係合部）を挿入・嵌合することにより、導光板用発光素子の実装面側において導光板と発光基板とを容易に組付けることができるようになる。
【発明を実施するための最良の形態】
【００１９】
（実施例１）
本発明を適用した遊技機用表示装置の実施例を図面を参照しつつ説明する。図１は本発明に係る遊技機用表示装置の一実施例の正面図及び背面図、図２はその側面断面図を表わす。図１及び図２に示すように、遊技機用表示装置（以下、単に表示装置ともいう）１は全体として矩形の箱状を呈している。表示装置１は、樹脂製で不透光性（例えば不透明）のケース３に、背面側（後方側；遊技者とは反対側）からセグメント表示部１０（メイン表示部）と面発光部２０とがそれぞれの表示面（発光面）を正面側（前方側；遊技者側）に向けて収容され、さらに矩形状の発光基板４（共通基板）と裏カバー５とがケース３の後方側を覆っている。
【００２０】
このうち、セグメント表示部１０は、数字・文字等からなる図柄（例えば、０〜９の１０種類の数字）を選択表示可能で、所定方向（配列方向）に直線的な一列状に連続する複数（例えば３桁）の表示領域１０Ａ〜１０Ｃを含んで構成されている。
【００２１】
具体的には、セグメント表示部１０は、各表示領域１０Ａ〜１０Ｃを複数（例えば、“８”字形状に断片的に組み合わされた７個）のセグメントに区画するセグメント構成フレームとしての樹脂製の単一のリフレクタ１２と、表示領域１０Ａ〜１０Ｃに一致させて配列方向に複数（例えば３組）配列された図柄発光素子群１１と、を有している。これらの図柄発光素子群１１を構成する個々のセグメントＬＥＤ（図柄発光素子）は、セグメント毎に１個ずつ（７個×３組＝計２１個）設けられ、それぞれ発光ダイオード（例えば赤色単色ＬＥＤ）ＬＥＤ１３〜３３からなる。したがって、リフレクタ１２を前後方向に貫通形成する２１個の中空状のセグメントには、それぞれ発光ダイオードＬＥＤ１３〜３３の光軸が遊技者側（表示面側；前方側）に向けて配置され、中空状セグメントの側壁は反射面として作用する。
【００２２】
また、面発光部２０は、アクリル等の樹脂、ガラス等からなる透光性の（例えば透明な）単一の導光板２２と、図柄発光素子群１１毎にその配列方向に沿う両側から挟むように対の形態で複数（例えば６対）配置された導光板用発光素子対２１とを有している。
【００２３】
具体的には、導光板２２は、平板状の本体部２２ａと、本体部２２ａの配列方向（長手方向）両側から突出する延長部２２ｂと、本体部２２ａと延長部２２ｂとを円弧状に接続する湾曲部２２ｃと、を含んで構成されている。本体部２２ａは、セグメント表示部１０、すなわち３組の図柄発光素子群１１及び単一のリフレクタ１２を表示面側（遊技者側；前方側）から面状に覆っている。延長部２２ｂは、本体部２２ａから配列方向に沿ってそれらの図柄発光素子群１１の両側を囲うように後方側に延出している。また、導光板用発光素子対２１を構成する個々の導光板ＬＥＤ（導光板用発光素子）は、図柄発光素子群１１（表示領域１０Ａ〜１０Ｃ）毎に４個ずつ（４個×３組＝計１２個；導光板用発光素子対２１で見ると２対ずつ）設けられ、それぞれ発光ダイオード（例えばＲＧＢ３色フルカラーＬＥＤ）ＬＥＤ１〜１２からなる。ただし、Ｒは赤色(red)、Ｇは緑色(green)、Ｂは青色(blue)を表わす。
【００２４】
図１（ａ）のように、導光板用発光素子対２１が、図柄発光素子群１１毎にその配列方向に沿う両側から挟むように対の形態で平行に配置されることによって、導光板用発光素子対２１（例えば、発光ダイオードＬＥＤ１及び発光ダイオードＬＥＤ２）の光軸を結ぶ線は配列方向と交差（例えば直交）することになる。また、図２に示すように、導光板２２の延長部２２ｂは、発光基板４側へ近づくように本体部２２ａと交差（例えば直交）して、その先端面が導光板用発光素子対２１（発光ダイオードＬＥＤ１〜１２）とごく近接するか又は当接している。したがって、導光板用発光素子対２１（発光ダイオードＬＥＤ１〜１２）の光軸は、延長部２２ｂでは、図柄発光素子群１１（発光ダイオードＬＥＤ１３〜３３）の光軸と略平行であり、発光基板４と略直交する。一方、導光板用発光素子対２１の光軸は、本体部２２ａではリフレクタ１２の前方側において、図柄発光素子群１１の光軸と平行交差（例えば直交）し、発光基板４と略平行である。
【００２５】
単一の矩形状の発光基板４の前方側（表示面側）に、複数（３組）の図柄発光素子群１１とそれらの両側に平行状に配置された複数（６対）の導光板用発光素子対２１とが、複数（３桁）の表示領域１０Ａ〜１０Ｃの配列方向に沿って実装されている。なお、発光基板４の実装面（導光板用発光素子実装面）は全体が白色に塗装され、導光板２２の延長部２２ｂを逆行する光を反射して延長部２２ｂへ再導入するための反射層４Ａ（損失軽減手段）を形成している。
【００２６】
以上のように構成された表示装置１の作動について説明する。各図柄発光素子群１１を構成する個々の発光ダイオードＬＥＤ１３〜１９，２０〜２６，２７〜〜３３が選択的に発光すると、各表示領域１０Ａ〜１０Ｃに所定の図柄がセグメント表示される。一方、各導光板用発光素子対２１を構成する個々の発光ダイオードＬＥＤ１〜１２が発光し、その光が導光板２２の延長部２２ｂを通り湾曲部２２ｃを経て本体部２２ａに導かれ、導光板２２を面発光させる。その結果、遊技者は、セグメント表示部１０の各図柄（各表示領域１０Ａ〜１０Ｃ）の発光態様と、導光板２２（面発光部２０）の全体的な面状の発光態様との重層された発光表示形態を視認できる。
【００２７】
このように、導光板用発光素子対２１を構成する個々の発光ダイオードＬＥＤ１〜１２にＲＧＢ３色フルカラーＬＥＤを採用し、その発光ダイオードＬＥＤ１〜１２の１個ずつを単位として面発光部２０の発光態様を変化させている。それによって、面発光パターンを素子１個単位で微細に制御して、表示装置１のグラデーション効果を高めることができる。
【００２８】
次に、図３は要部の斜視図、図４はその長手方向側面図を示す。導光板２２の延長部２２ｂの導光板用発光素子側端面において、導光板用発光素子２１と非対向となる部位（非対向部位）は、延設部位２２ｂ１として導光板用発光素子２１を挟む形で導光板用発光素子２１側へ延設され、延設部位２２ｂ１の端面が発光基板４の導光板用発光素子実装面に当接して配置されている。また、導光板２２の延長部２２ｂの延設部位２２ｂ１の端面が当接する発光基板４の導光板用発光素子実装面は白色に塗装され、導光板２２の延長部２２ｂを逆行する光を反射して延長部２２ｂへ再導入するための反射層４Ａ（損失軽減手段）を形成している。
【００２９】
このように、延設部位２２ｂ１の端面が発光基板４に当接し、発光基板４に反射層４Ａを形成することによって、図４に示すように、導光板用発光素子２１から導光板２２の延長部２２ａに入った光が湾曲部２２ｃから本体部２２ａへ進まずに延長部２２ｂの延設部位２２ｂ１を逆行しようとしても、反射層４Ａで反射・拡散されて延長部２２ｂの延設部位２２ｂ１へ再導入される。したがって、導光板２２の延長部２２ｂ（延設部位２２ｂ１）から漏洩する光を減少させることができるので、導光板用発光素子２１自身やそれを駆動制御するＩＣ等の制御回路にかかる負荷が増大したり、発熱等によって耐久性（寿命）が低下したりするのを防止できる。
【００３０】
さらに、発光基板４の導光板用発光素子実装面には、対角線状２ヶ所に貫通孔４ａ（基板側係合部）がそれぞれ形成されている。一方、導光板２２の延長部２２ｂの延設部位２２ｂ１の端面には、貫通孔４ａと係合するための突出部２２ｄ（導光板側係合部）が対応する２ヶ所に形成されている。突出部２２ｄを貫通孔４ａに係合（挿入・嵌合）することにより、導光板２２と発光基板４とを位置決め固定することができる。これによって、遊技機用表示装置１の組立時に導光板２２と発光基板４との位置決めが容易となり、製造コストを抑制することができる。また、突出部２２ｄと貫通孔４ａとによって導光板２２と発光基板４とが位置決め固定されるので、組立時に延設部位２２ｂ１が導光板用発光素子２１と干渉しにくい。
【００３１】
（変形例１−１）
図５に実施例１の変形例を示す。導光板２２の延長部２２ｂの導光板用発光素子側端面において、導光板用発光素子２１と対向する部位２２ｂ２（対向部位）には、導光板用発光素子２１から導光板２２の延長部２２ｂに入る光の指向性を広域化させるための鋸歯状（三角柱状）のローレット部２４（起伏部）が形成されている。図５（ｂ）に示すように、対向部位２２ｂ２（すなわち導光板用発光素子２１の光軸を含む部位）に形成されたローレット部２４によって、導光板用発光素子２１から導光板２２の延長部２２ｂに入る光の広がり角θが大きくなる。したがって、図柄を示す発光を包み込むような発光態様を実現するために、導光板用発光素子２１の取付ピッチを小さくして個数を増やしたり、各素子２１の発光の際のデューティ比を大きくしたりせずにすむので、導光板用発光素子２１自身やそれを駆動制御するＩＣ等の制御回路にかかる負荷が増大したり、発熱等によって耐久性（寿命）が低下したりするのを防止できる。
【００３２】
（変形例１−２）
図６に実施例１の変形例を示す。導光板２２の延長部２２ｂの導光板用発光素子側端面において、導光板用発光素子２１と対向する部位２２ｂ２（対向部位）には、導光板用発光素子２１から導光板２２の延長部２２ｂに入る光の指向性を広域化させるための半円柱面状のアーク部２５（曲面状凹部）が形成されている。図６（ｂ）に示すように、対向部位２２ｂ２（すなわち導光板用発光素子２１の光軸を含む部位）に形成されたアーク部２５によって、導光板用発光素子２１から導光板２２の延長部２２ｂに入る光の広がり角θが大きくなる。したがって、図柄を示す発光を包み込むような発光態様を実現するために、導光板用発光素子２１の取付ピッチを小さくして個数を増やしたり、各素子２１の発光の際のデューティ比を大きくしたりせずにすむので、導光板用発光素子２１自身やそれを駆動制御するＩＣ等の制御回路にかかる負荷が増大したり、発熱等によって耐久性（寿命）が低下したりするのを防止できる。
【００３３】
以上で説明した実施例及び変形例において、共通する機能を有する部分には同一の符号を付して説明を省略したものがある。なお、これらの実施例及び変形例は適宜組み合わせて実施することができる。また、メイン表示部１０は７セグメント方式でなくてもよい。さらに、導光板用発光素子２１は対（ペア）でなくても実施でき、１個でもよい。
【図面の簡単な説明】
【００３４】
【図１】本発明に係る遊技機用表示装置の一実施例の正面図及び背面図。
【図２】図１（ａ）のＡ−Ａ断面図。
【図３】要部の斜視図。
【図４】図３の長手方向側面図。
【図５】変形例を示す要部の斜視図及び長手方向側面図。
【図６】他の変形例を示す要部の斜視図及び長手方向側面図。
【図７】従来例を示す要部の斜視図。
【図８】図７の長手方向側面図。
【符号の説明】
【００３５】
１        表示装置（遊技機用表示装置）
４        発光基板（共通基板）
４Ａ      反射層（損失軽減手段）
４ａ      貫通孔（基板側係合部）
１０      セグメント表示部（メイン表示部）
１０Ａ〜１０Ｃ  表示領域
１１      図柄発光素子群
ＬＥＤ１３〜３３  セグメントＬＥＤ（図柄発光素子）
２０      面発光部
２１      導光板用発光素子対
ＬＥＤ１〜１２  導光板ＬＥＤ（導光板用発光素子）
２２      導光板
２２ａ    本体部
２２ｂ    延長部
２２ｂ１  非対向部位（延設部位）
２２ｂ２  対向部位
２２ｃ    湾曲部
２２ｄ    突出部（導光板側係合部）
２３      反射層（損失軽減手段）
２４      ローレット部（起伏部）
２５      アーク部（曲面状凹部）
【図１】
2008022913.tif 000003
【図２】
2008022913.tif 000004
【図３】
2008022913.tif 000005
【図４】
2008022913.tif 000006
【図５】
2008022913.tif 000007
【図６】
2008022913.tif 000008
【図７】
2008022913.tif 000009
【図８】
2008022913.tif 000010